(57)【特許請求の範囲】
【請求項１】
映像投写装置から映像を投影して映像表示を行う投影表示装置において、前記映像投写装置からの映像光を背面側から受けて前面側に拡散出射する透過型の拡散スクリーンと、前記拡散スクリーンと映像投写装置とを、前記拡散スクリーンが壁面の表面部分に位置すると共に、前記映像投写装置が壁面内部に収納される格納位置と拡散スクリーンが壁面と直交するように開かれた展開位置とに移動可能に支持する手段と、前記映像投写装置が収納位置及び展開位置において映像投写装置から映像光を投写させる投写手段とを備えたことを特徴とする投影表示装置。
【請求項２】
前記映像投写装置からの映像光を拡散スクリーンに導くために反射させるミラーを備え、前記反射ミラーを壁面内に収納される格納位置と前記拡散スクリーンが壁面と直交するように開かれた展開位置とに移動可能に支持することを特徴とする請求項１に記載の投影表示装置。
【請求項３】
映像投写装置から映像を投影して映像表示を行う投影表示装置において、前記映像投写装置からの映像光を背面側から受けて前面側に拡散出射する透過型の拡散スクリーンと、前記映像投写装置からの映像光を拡散スクリーンに導くために反射させるミラーと、前記拡散スクリーンが壁面の表面部分に位置すると共に、前記映像投写装置及び反射ミラーが壁面内部に収納される格納位置と拡散スクリーンが壁面と直交するように開かれた展開位置とに移動可能とすると共に、映像投写装置、反射ミラー及び拡散スクリーンの相関関係を維持する調整手段と、前記映像投写装置が収納位置及び展開位置において映像投写装置から映像光を投写させる投写手段とを備えたことを特徴とする投影表示装置。
【発明の詳細な説明】
【０００１】
【発明の属する技術分野】
この発明は、映像投写装置からの投影映像をスクリーンの背面に投影して映像表示を行う投影表示装置に関する。
【０００２】
【従来の技術】
図１２は、従来の背面投写型の投影表示装置を示した概略の構成図である。この背面投写型の投影表示装置は、筐体１０１内に配置された映像投写装置１０２、投影レンズ１０３、反射ミラー１０４、及び透過型の拡散スクリーン１０５により構成されている。映像投写装置１０２から出射された投影映像光は、投写レンズ１０３によって拡大投影され、反射ミラー１０４により反射され、透過型の拡散スクリーン１０５の背面に入射される。観察者は、拡散スクリーン１０５の前面側で拡大された映像を見ることができる。この種の背面投写型表示装置は、ブラウン管を画面とする構造に仕べて、大画面化が容易であるという利点を有している。
【０００３】
【発明が解決しようとする課題】
例えば、会議室においては、各種データを参照しながら会議を行う場合、メンバーに説明する内容を映像表示装置で外部スクリーンに投影することが行われている。このため、会議に参加するメンバーは映像表示装置による画像が見える位置に移動する必要があった。更に、全員が見易い位置にスクリーンを配置することは難しい。また、壁等に同時に映像を表示することを可能にした設備は無く、メンバー全員に表示映像を見やすくするためには、メンバーの個々に表示装置を用意しなければならなかった。
【０００４】
また、大会議場にて多くのメンバーを対象に会議を行う場合は、一つの映像表示装置では内容がわかりにくいため、同一の映像を見せるために何台もの映像表示装置を準備する必要があった。また、そのための机の準備や運搬などの準備も必要であり、その作業が煩わしかった。
【０００５】
この発明は、上記の事情に鑑み、大会議室の壁面のショーアップディスプレイと会議でのデータ等の映像表示装置の二つの機能を同時に実現、或いは、壁面に限らず、個人用や会議用の机に組み込んだディスプレイ装置とデモ用などに準備するディスプレイ装置の二つの機能を備えた投影表示装置を一体化した設備を提供することを目的とする。
【０００６】
【課題を解決するための手段】
この発明の投影表示装置は、映像投写装置から映像を投影して映像表示を行う投影表示装置において、前記映像投写装置からの映像光を背面側から受けて前面側に拡散出射する透過型の拡散スクリーンと、前記拡散スクリーンと映像投写装置とを、前記拡散スクリーンが壁面の表面部分に位置すると共に、前記映像投写装置が壁面内部に収納される格納位置と拡散スクリーンが壁面と直交するように開かれた展開位置とに移動可能に支持する手段と、前記映像投写装置が収納位置及び展開位置において映像投写装置から映像光を投写させる投写手段とを備えたことを特徴とする。
【０００７】
上記の構成であれば、かかる装置一つでもって、例えば、壁面のショーアップディスプレイ装置と映像を表示する映像表示装置を兼ねることができ、両装置を別々に備える場合の設置スペースの問題や高コスト化の問題を解消することが可能になる。
【０００８】
この発明は、前記映像投写装置からの映像光を拡散スクリーンに導くために反射させるミラーを備え、前記反射ミラーを壁面内に収納される格納位置と前記拡散スクリーンが壁面と直交するように開かれた展開位置とに移動可能とするように構成できる。
【０００９】
上記したように、ミラーを用いることにより、壁面内部の省スペース化を実現できる。
【００１０】
また、この発明の投影表示装置は、映像投写装置から映像を投影して映像表示を行う投影表示装置において、前記映像投写装置からの映像光を背面側から受けて前面側に拡散出射する透過型の拡散スクリーンと、前記映像投写装置からの映像光を拡散スクリーンに導くために反射させるミラーと、前記拡散スクリーンが壁面の表面部分に位置すると共に、前記映像投写装置及び反射ミラーが壁面内部に収納される格納位置と拡散スクリーンが壁面と直交するように開かれた展開位置とに移動可能とすると共に、映像投写装置、反射ミラー及び拡散スクリーンの相関関係を維持する調整手段と、前記映像投写装置が収納位置及び展開位置において映像投写装置から映像光を投写させる投写手段とを備えたことを特徴とする。
【００１１】
上記の構成であれば、前記映像投写装置からの映像光を背面側から受けて前面側に拡散出射する透過型の拡散スクリーンと、前記映像投写装置からの映像光を投影方向に導くために反射させるミラーとの相関関係を維持すると共に、前記拡散スクリーンを移動し、調整することにより、備える場合の前記拡散スクリーンのサイズや設置スペースの問題を解消することが可能になる。
【００１８】
【発明の実施の形態】
以下、この発明の実施の形態につき図面を参照して説明する。
【００１９】
（第１の実施の形態）
まず、この発明の第１の実施の形態につき図１乃至図５に基づいて説明する。図１は、この発明の実施の形態における投影表示装置の格納位置の斜視図、図２は、この実施の形態の投影表示装置の基本構成を示す断面図、図３はこの実施の形態における投影表示装置の展開位置の斜視図である。
【００２０】
図１及び図２に示すように、この実施の形態の投影表示装置は、壁面２に組み込まれ、映像投写装置５と、映像投写装置５から投写された映像光を全反射する全反射ミラー６と、この全反射ミラー６にて反射された映像光を背面側から受けて前面側に拡散出射する透過型の拡散スクリーン１と、を備える。図２に示すように、全反射ミラー６を用いることにより、壁面内部の間隔の省スペース化を図っているが、全反射ミラーを用いない場合には、破線で示すように映像投写装置５’を光路長の関係から壁面よりかなり奥の位置に配置する必要がある。
【００２１】
この実施の形態では、この実施の形態の投影表示装置は、壁面２の内部に配置された映像投写装置５と、映像投写装置５から投写された映像光を全反射する全反射ミラー６と、この全反射ミラー６にて反射された映像光を背面側から受けて前面側に拡散出射する透過型の拡散スクリーン１と、を各装置の位置関係を維持し一体して移動可能なように、後述する展開機構３を備える。この展開機構３は、図１に示すように拡散スクリーン１が壁面２の表面部分に位置し、その他の装置が壁面２内部に収納される格納位置と、図３に示すように拡散スクリーン１が壁面２と直交するように開かれた展開位置とに移動するように各装置を移動させる。尚、この実施の形態では上述したように、図２に示すように壁面内部の省スペース化を考え、全反射ミラーを用いているが、全反射ミラーが無い構成でも良い。
【００２２】
図４及び図５はこの発明の第１の実施の形態を示し、図４は投影表示装置の格納状態を示す概略断面図、図５は投影表示装置の展開状態を示す概略断面図である。
【００２３】
この投影表示装置は、図４および図５に示すように、映像投写装置５と、拡散スクリーン１と、全反射ミラー６と、を一体として展開できる展開機構３を備える。この展開機構３は、映像投写装置５等を支持し、壁面２にヒンジ３２等により揺動自在に取り付けられた支持本体３１と、この支持本体３１にヒンジ３４により揺動自在に取り付けられた側板３３を備える。この側板３３は、図４に示すように、投影表示装置を展開状態としたときに、端部が壁面２の他方の開口部の端と係合し、支持本体と３１と側板３３により拡散スクリーン１が開いた状態でも壁面２内部が見えないようにカバーする役目をしている。また、展開機構３に、格納状態及び展開状態でそれぞれの状態を維持できるようにロック機構を備えると良い。尚、格納状態と展開状態との移動は、手動で行ったり、或いは電動機構を設けて駆動するように構成したり、用途に応じて最適な機構を採用すればよい。
【００２４】
勿論、展開機構３は、上記した構造に限るものではなく、展開する位置も左右に限らず、上下で保持する構造を採用しても良い。
【００２５】
更に、展開機構３については、前記映像投写装置５と拡散スクリーン１と全反射ミラー６との位置関係を維持して移動可能することを目的にしており、展開する位置や角度、範囲を自由に選べるような構造を採用しても良い。
【００２６】
上記した構成であれば、かかる投影表示装置一つでもって大会議室の壁面のショーアップディスプレイと会議でのデータ等の映像表示装置を兼ねることができる。更に、壁面に限らず、個人用や会議用の机に組み込んだディスプレイ装置とデモ用などに準備するディスプレイ装置の二つの機能を備えた映像を表示することを同時に実現することができる。従って、例えば会議室においては、図１に示しているように、普段は所定の映像を表示し、会議などの用途によっては、画面を展開して表示することが可能である。展開することにより、図３に示すように、参加者の画面認識が容易になるとともに、特別に映像表示装置を用意するという不具合を解消することが可能になる。
【００２７】
（第２の実施の形態）
次に、この発明の第２の実施の形態を図６及び図７に基づいて説明する。図６及び図７はこの発明の第２の実施の形態を示し、図６は投影表示装置の格納状態を示す概略断面図、図７は投影表示装置の展開状態を示す概略断面図である。
なお、説明の便宜上、第１の実施の形態と同一の機能を有する部材には同一の符号を付記している。
【００２８】
この第２実施の形態の投影表示装置は、図６及び図７の断面図に示すように、壁面２内部に配置された映像投写装置５と、映像投写装置５から投写された映像光を背面側から受けて前面側に拡散出射する透過型の拡散スクリーン１と、図７の如く展開位置に移動したときには、前記拡散スクリーン１を展開すると同時に前記映像投写装置５から投写された映像光を全反射する全反射ミラー６を移動可能にする案内機構７と、前記映像投写装置５と拡散スクリーン１と全反射ミラー６の相関関係を調整可能にする調整機構４とを備える。この調整機構４は、格納位置と展開位置との移動動作に連動する展開機構３ａにより、伸縮される。
【００２９】
また、この実施の形態における拡散スクリーン１は、壁面２に揺動自在に取り付けられ、図６の状態と図７に示す状態とに移動が可能に構成されている。
【００３０】
上記した構成によれば、図６の如く、映像を直接に拡散スクリーン１に投影する形態、即ち、格納状態の場合には、調整機構４は縮んだ状態で、映像投写装置５から拡散スクリーン１に映像が投影される。また、図７の如く、前記拡散スクリーン１を移動させると、映像投写装置５から投写された映像光を全反射する全反射ミラー６が移動するとともに調整機構４も前方に延びる。映像投写装置５から投写された映像光が全反射ミラー６にて反射させて映像を拡散スクリーン１に投影される。
【００３１】
上記した構成によれば、図６の如く、映像を直接に拡散スクリーン１に投影する形態と、図７の如く前記拡散スクリーン１を移動し、全反射ミラー６にて反射させて映像を拡散スクリーン１に投影する形態との展開が可能になる。
【００３２】
従って、例えばかかる投影表示装置一つでもって大会議室の壁面のショーアップディスプレイと会議でのデータ等の映像表示装置を兼ねることができる。更に、壁面に限らず、個人用や会議用の机に組み込んだディスプレイ装置とデモ用などに準備するディスプレイ装置の二つの機能を備えた映像を表示することを同時に実貌することができる。従って、例えば会議室においては、図１に示しているように、普段は所定の映像を表示し、会議などの用途によって、画面を展開して表示することが可能できる。展開することにより、図３に示すように、参加者の画面認識が容易になるとともに、特別に映像表示装置を用意するという不具合を解消することが可能になる。
【００３３】
なお、この実施の形態では、全反射ミラー６を映像光を受けない領域から移動させるようにしたが、これに限らず、図３のごとく全反射ミラー６を使い、省スペース化を実現した状態からの展開の構成にしても良い。また、スライドさせる機構は、回動させる、或いは、着脱する機構を設けることで、全反射ミラー６を移動させるようにしてもよい。そして、このような展開機構や案内機構を採用するとともに、映像投写装置５と拡散スクリーン１と全反射ミラー６の相関関係を調整する機構を用いることにより、当該投影表示装置をプロジェクタとして用いることも可能となる。また、映像を全反射ミラー６にて反射させて投影するときに前面投写型の形態を採用してもよいし、外部スクリーンを用いるようにしてもよいものである。
【００３４】
（第３実施の形態）
次に、この発明の第３の実施の形態を図８及び図９に基づいて説明する。なお、第１及び第２実施の形態と同一の機能を有する部材には同一の符号を付記している。
【００３５】
この実施の形態の投影表示装置は、図８の断面図に示すように、壁面２内部に配置された映像投写装置５と、映像投写装置５から投写された映像光を背面側から受けて前面側に拡散出射する透過型の外部拡散スクリーン１ａと、映像投写装置５とスクリーンとの相関関係を調整する調整機構４と、映像投写装置５から投写された映像光を背面側から受けて前面側に拡散出射する透過型の着脱可能な拡散スクリーン１ｂとを備える。調整機構４は拡散スクリーン１ｂを用いるときには縮み、外部スクリーン１ａを用いるときにはその外部スクリーン１ｂとの投影距離を調整するように所定の長さに延びるように構成されている。
【００３６】
上記した構成であれば、図１の如く、ショーアップディスプレイとしての映像を写す拡散スクリーン１ｂに投影する場合と、図９の如く、外部スクリーン１ａに投影することを１つの装置で実現できる。従って、例えば図１のごとくショーアップデイスプレイとして見せることと、外部スクリーン１ａを使うことにより会議の内容によって、図９のようにも展開することが可能になる。なお、この実施の形態３において、全反射ミラー６を使用することにより、図３に示すように用いることも可能になる。
【００３７】
（第４の実施の形態）
次に、この発明の第４の実施の形態を図１０および図１１に基づいて説明する。なお、第１及び第２の実施の形態と同一の機能を有する部材には同一の符号を付記している。
【００３８】
この実施の形態の投影表示装置は、図６の断面図に示すように、壁面２の内側に配置された映像投写装置５と、映像投写装置５から投写された映像光の反射および透過を行うハーフミラー６Ｈと、このハーフミラー６Ｈにて反射された映像光を背面側から受けて前面側に拡散出射する透過型の拡散スクリーン１と、ハーフミラー６Ｈを透過した映像光を背面側から受けて前面側に拡散出射する透過型の拡散スクリーン１ａと、前記映像投写装置５と拡散スクリーン１とハーフミラー６Ｈの相関関係を調整可能にする調整機構４と、前記映像投写装置５と拡散スクリーン１と前記ハーフミラー６Ｈを格納位置と展開位置に移動可能にする展開機構３とを備える。
【００３９】
上記構成であれば、映像をハーフミラー６Ｈにて反射させて拡散スクリーン１に投影することと、ハーフミラー６Ｈを透過させて別の拡散スクリーン１ｂに投影することを同時に実現できる。従って、例えば大会議場などにおいて、スクリーンとスクリーンの間にて見にくい場所を無くしたり、より有効なデモンストレーションを実現することが可能になる。なお、この実施の形態４において、ハーフミラー６Ｈの方向を変えることにより、スクリーンの代わりに天井自体をスクリーンとして用いるようにしてもよいものである。
【００４０】
また、上記した各例では当該投影表示装置を会議室で用いる場合に特に好適であるとして説明を行ったが、その用途が会議室に限定されることはなく、この機能を個人用や会議用の机に盛り込んだり、携帯用の持運びができる表示装置として内蔵してもよい。また、映像投写装置５からの映像光を直接的に全反射ミラー或いはハーフミラーに導くようにしたが、一旦別の全反射ミラーにて反射させて上記の全反射ミラー或いはハーフミラーに導くようにしてもよいものである。
【００４１】
【発明の効果】
以上説明したように、この発明によれば、例えば大会議室の壁面のショーアップディスプレイと会議でのデータ等の映像表示装置、の二つの機能を同時に実現できる。或いは、壁面に限らず、個人用や会議用の机に組み込んだディスプレイ装置とデモ用などに準備するディスプレイ装置の二つの機能を備えた投影表示装置を一体化する効果を奏する。
【図面の簡単な説明】
【図１】この発明の実施の形態の投影表示装置の収納位置の斜視図である。
【図２】この発明の実施の形態の投影表示装置の基本構成を示す断面図である。
【図３】この発明の実施の形態の投影表示装置の展開位置の断面図である。
【図４】この発明の第１の実施の形態の投影表示装置の収納位置の断面図である。
【図５】この発明の第２の実施の形態の投影表示装置の展開位置の斜視図である。
【図６】この発明の第２の実施の形態の投影表示装置の収納位置の断面図である。
【図７】この発明の第２の実施の形態の投影表示装置の展開位置の断面図である。
【図８】この発明の第３の実施の形態の投影表示装置の展開位置の断面図である。
【図９】この発明の第３実施の形態の投影表示装置の展開位置の斜視図である。
【図１０】この発明の第４の実施の形態の投影表示装置の展開位置の断面図である。
【図１１】この発明の第４の実施の形態の投影表示装置の展開位置の斜視図である。
【図１２】従来の投影表示装置の断面図である。
【符号の説明】
１  拡散スクリーン
１ａ  外部スクリーン
２  壁面
３  展開機構
４  光学調整機構
５  映像投写装置
６  全反射ミラー
６Ｈ  ハーフミラー
７    ガイド機構
【図１】
0004274606.tif 000002
【図２】
0004274606.tif 000003
【図３】
0004274606.tif 000004
【図４】
0004274606.tif 000005
【図５】
0004274606.tif 000006
【図６】
0004274606.tif 000007
【図７】
0004274606.tif 000008
【図８】
0004274606.tif 000009
【図９】
0004274606.tif 000010
【図１０】
0004274606.tif 000011
【図１１】
0004274606.tif 000012
【図１２】
0004274606.tif 000013